(57)【要約】      （修正有）【課題】建物室内の側壁の壁板パネルに露出するように設置していた従来の壁コンセントや壁スイッチ等の電気機器装置を解消し、また室内に繁雑に張りめぐらせる前記配線や配管を配線カバーや配管を解消することをもって美観の優れ、施工時の繁雑な種々の配線、配管および電気機器装置の設置作業を省くこともできる壁板パネルを提供するとともに、更には、特に間仕切り用壁板パネル間の相互の連結を容易にするとともに、再利用率の高い建築物の壁板パネルの構造を提供する。【解決手段】壁板パネル１内に配管および配線スペース３を設け、壁板パネル内１に電気機器装置１３を格納できるスペース７を設ける。【選択図】    図２Ｂ
2006104775.tif 000002
【特許請求の範囲】
【請求項１】
断熱材を内部に有する外装用または間仕切り用の壁板パネルにおいて、内部に断熱材を有する壁板パネルの両側部に、配線および配管の通路を形成するためのスペースを設け、前記スペース内に、前記配線および配管などを通す剛性を有する中空の管材を、壁板パネルの上端から連結材を嵌め込むためのスペースを残して、前記断熱材の側面に沿うように垂直に設置したことを特徴とする壁板パネルの構造。
【請求項２】
前記管材の一側面には、縦に切り欠きを設け、前記断面形状を略Ｃ字状に成形した管材の開口側を前記断熱材と対面させたことを特徴とする請求項１記載の壁板パネルの構造。
【請求項３】
前記管材の開口部に対面する断熱材の所定の箇所に、電気機器を収容するための収容部を、前記管材の中空部と連通するように部分的に設け、前記収容部に面した壁板パネルの内壁表面には、前記電気機器の操作部を設置するための孔を設けたことを特徴とする請求項２記載の壁板パネルの構造。
【発明の詳細な説明】
【技術分野】
【０００１】
本発明は、組立式簡易店舗のように、移設や建て替えを必要し、配置変更が頻繁に行われる建築物に対して柔軟に対応できる外装や間仕切壁となる壁板パネルの構造に関するものである。
【背景技術】
【０００２】
組立式の簡易店舗などには、施工期間が短く、施工が容易なユニット型の建築物が用いられている。ユニット型の建築物は、一般に、建物本体の殆どを工場でモジュール化にし生産され、施工現場で基礎工事を終えた後に、建物本体を施工現場に搬入して、基礎に連結固定し完成させる。
【０００３】
このようなユニット型の建築物は、建て替え時や配置変更時には、建物本体から壁板パネルを取り外し、必要な箇所に新たに壁板パネルを取り付けるという簡単な作業によって対応できるので便利である。
【０００４】
しかしながら、これらユニット型の建築物の壁板パネルには、強度や断熱効果を保持するために、図３に示すように表面パネル１ａに挟まれ、中間層に発泡材やハニカム材等で構成した断熱材２を有する積層構造の壁板パネル１が用いられている。そのため壁板パネル１の内部は断熱材２で埋められ中実となっているので、壁コンセント１１aや壁スイッチ１２aは図４に示すように建屋内の壁板パネル側面に露出した状態で取り付けられることが多い。
【０００５】
しかし、壁コンセント１１aや壁スイッチ１２aの電気機器本体を前記壁板パネル１の内側面から露出した状態で取り付けると、室内の美観を損なうだけではなく、その突出が室内で作業を行なう者に対し思いもよらぬ傷害の原因にもなりうる。
【０００６】
また、壁コンセント１１aや壁スイッチ１２aの配線１５等を室内に設けた場合、図４に示すように配線設備などの配線１５を設け引き回すなど、室内の美観の点からも好ましくなく、また施工の際にも作業の手間と時間が掛かる。
【０００７】
更に、モジュール化されている殆どの壁板パネル建築部材では、電気配線の引き回し位置が、各建物毎に異なることが多い。このために、工場において、電気配線が必要な壁板パネルに配線ダクトを設置するなどの作業を行っている。なお、壁板パネル１は、連結材５によって、他の壁板パネルと連結されている。
【０００８】
この結果、それまで使用していた配線ダクト付きの壁板パネルは再利用できなくなり、新たに工場において配線ダクトが取り付けられた壁板パネルを作成する必要がある。
【０００９】
このように、従来におけるユニット型の建築物では、配線設置場所などについては規格化されておらず、これが障害となって、配線スペースについては個別に壁板パネルに施工を施す必要があり、またその結果、壁板パネルの再利用率が低くなる。
【００１０】
一方、建屋の室内から配線および配管等を排除しうる手段として、特許文献１にあるような相互に連結固定される壁板パネルの側面に、壁板パネルとは独立して構成される配線ダクト部材を新たに設ける手段も見られるが、壁板パネル間に新たな部材を設けることによって、配線カバー体や取付螺子など部品数が嵩む点で問題がある。
【特許文献１】特開２００３−４１６８９号公報
【発明の開示】
【発明が解決しようとする課題】
【００１１】
本発明は、これらの問題点に鑑みて、建物室内の側壁の壁板パネルに露出するように設置していた従来の壁コンセントや壁スイッチ等の電気機器を解消し、また室内に繁雑に張りめぐらせる前記配線や配管を配線カバーや配管を解消することをもって美観に優れ、施工時の繁雑な種々の配線、配管および電気機器の設置作業を省くこともできる壁板パネルを提供するとともに、更には、特に間仕切り用壁板パネル間の相互の連結を容易にするとともに、再利用率の高い建築物の壁板パネルの構造を提供することを課題とするものである。
【課題を解決するための手段】
【００１２】
このような課題を解決するため、請求項１の発明は、内部に断熱材を有する壁板パネルの両側部に、配線および配管の通路を形成するためのスペースを設け、前記スペース内に、前記配線および配管などを通す剛性を有する中空の管材を、壁板パネルの上端から連結材を嵌め込むためのスペースを残して、前記断熱材の側面に沿うように垂直に設置したことを特徴とする。
【００１３】
請求項２の発明は、前記管材の一側面には、縦に切り欠きを設け、前記断面形状を略Ｃ字状に成形した管材の開口側を前記断熱材と対面させたことを特徴とする。
【００１４】
請求項３の発明は、前記管材の開口部に対面する断熱材の所定の箇所に、電気機器を収容するための収容部を、前記管材の中空部と連通するように部分的に設け、前記収容部に面した壁板パネルの内壁表面には、前記電気機器装置の操作部を設置するための孔を設けたことを特徴とする。
【発明の効果】
【００１５】
本発明は、壁板パネル内に規格化された配管および配線スペースを設けることにより、室内に繁雑に張りめぐらせる前記配線カバーや配管の引き回しを解消し、施工時の種々の配線や配管ダクト等の繁雑な設置作業が格段に簡易となる。
【００１６】
また、従来、壁板パネルの表面から突出させ取付けられていた壁コンセントや壁スイッチの電気機器は、壁板パネル内にこれら各機器を格納するためのスペースを設けることで、当該スペース内に格納することが可能となり、壁板パネルの表面には電気機器操作部のみを植設するので、これら各機器本体は従来のように室内に突出することはなく、すっきりとした室内施工が可能となる。
【００１７】
更に、壁板パネル内に規格化された配線スペースの一部に、壁板パネル間を相互に連結する連結材を嵌め込むことにより、その作業が格段に簡易となり、短時間で建屋を組立てることができる。
【００１８】
更にまた、施工前に、壁板パネル内に照明等の配線や配管および電気機器部等を事前に組込んでユニットとして完成させておけば、施工時の繁雑な種々の配線、配管および電気機器の設置作業を省くこともできる。
【発明を実施するための最良の形態】
【００１９】
以下に、図面を参照して本発明を適用した壁板パネル構造の実施例を説明する。
【実施例１】
【００２０】
図１Ａおよび図１Ｂは、本発明の壁板パネル１の構造を示す第１の実施例である。
【００２１】
図１Ａは、壁板パネル１の平面図、図１Ｂは、図１ＡのＡ−Ａ線断面図である。
【００２２】
本発明を適用した壁板パネル１は、図１Ａ示すように、断熱材２を両面から表面材１ａ間に挟んで構成され、両側端部（破線円）に、配線および配管の通路を形成するための上下に貫通したスペース３を設ける。このスペース３に、前記配線１５および配管などを通す中空の管材６を、壁板パネル１の上端から連結材５を嵌め込むためのスペース３ａを壁板パネル１の側端部に残し、図１Ｂに示すように、前記断熱材２の側面に沿うように垂直に設置する。ここで、管材６には、壁板パネル１の表面材１ａを変形しないようある一定の状態保つために剛生を有する中空の管材を用いるのがよい。そしてこの管材６は、絶縁材で形成するのが最適である。
【００２３】
壁板パネルの連結は、図１Ｂに示すように、壁板パネル１ともう１つの壁板パネル１の側面をそれぞれ接合し、前記スペース３ａ内において、断面が逆凹字状の連結材５を両方の壁板パネル１に跨ぐように嵌め込むことによって連結固定される。
【００２４】
このように構成された壁板パネルにあっては、壁板パネル１内の両側部に照明等の配線などを収容しうるので、室内には照明等の配線や配管が繁雑に露出することのないすっきりとした室内の施工が可能となり、短時間にて配線作業を完了することができる。
【実施例２】
【００２５】
図２Ａおよび図２Ｂは、本発明の壁板パネル１の構造を示す第２の実施例である。
【００２６】
図２Ａは、壁板パネル１を連結した状態を斜視図、図２Ｂは、図２ＡのＢ−Ｂ線断面図である。
【００２７】
実施例２では、図２Ａおよび図２Ｂに示すように、実施例１と同様に壁板パネル１内に管材６ａを設けるためのスペース３と壁板パネル１の上端から連結材５を嵌め込むためのスペース３ａが壁板パネル１の側端部に設けられている。
【００２８】
本実施例の管材６ａでは、側面縦方向に切り欠きを設け、断面形状を略Ｃ字状に成形し、断熱材２の側面端部に対面するように設けてある。他方、壁板パネル１に組み込まれる断熱材２の内部には、照明等の電気機器１３を収容できるだけのスペースを有する収容部７が前記管材６ａの中空部と連通するように部分的に設けられている。収容部７をこのように構成することにより、前記収容部７に収容される電気機器１３の配線を管材６ａの中空部へ収めることが可能となる。
【００２９】
また、壁板パネル１の内壁には、電気機器１３を操作するためのコンセント１１とスイッチ１２が埋設するように設置してある。
【００３０】
このように構成された壁板パネルにあっては、壁板パネルの内部に照明等の配線および空調設備などの配管、その他各種電気機器を収容し、その操作部を壁板パネルの内壁にこれを貫通して取り付けるので、図６に示す従来例のように壁板パネルの壁面にコンセントおよび壁スイッチを突出することがなく、また室内には、照明等の配線や空調設備等の配管が繁雑に露出することのないすっきりとした施工が可能となる。
【００３１】
特に小型の簡易店舗にあっては、室内の空間を有効に活用することが可能となり、更に美観にも優れ、施工時においてもこれら繁雑な電気機器の配線作業を大幅に省くことができる。
【産業上の利用可能性】
【００３２】
本実施例では主に、壁板パネル１にはスイッチ及びコンセント等の電気機器を取付けた例を示したが、収容部を有する壁板パネル１の利用方法はこれらに限定されるわけではなく、他の機器等を収容、取付けすることができることはいうまでもない。
【図面の簡単な説明】
【００３３】
【図１Ａ】本発明の第１の実施例を示す壁板パネルの平面図。
【図１Ｂ】図１ＡのＡ−Ａ線断面図。
【図２Ａ】本発明の第２の実施例を示す壁板パネルを連結した状態を斜視図。
【図２Ｂ】図２ＡのＢ−Ｂ線断面図。
【図３】従来の壁板パネルを示す平面図。
【図４】従来の壁板パネルに壁スイッチおよび壁コンセントを設置した状態を示す斜視図
【符号の説明】
【００３４】
１      壁板パネル
１ａ    表面材
２      断熱材
３      スペース
３ａ    スペース
５      連結材
６      管材
６ａ    切リ欠きを設けた管材
７      収容部
１１    スイッチ
１１ａ  壁スイッチ
１２    コンセント
１２ａ  壁コンセント
１３    電気機器
１５    配線
【図１Ａ】
2006104775.tif 000003
【図１Ｂ】
2006104775.tif 000004
【図２Ａ】
2006104775.tif 000005
【図２Ｂ】
2006104775.tif 000006
【図３】
2006104775.tif 000007
【図４】
2006104775.tif 000008